(57)【要約】【課題】簡易な処理によって、色覚障害者にとっても、わかりやすい画像を形成することのできる画像処理プログラム、その画像処理プログラムを備えるプリンタドライバおよび画像処理装置を提供すること。【解決手段】プロパティウィンドウ６５の色覚ダイアログ６６には、色覚障害対応モードチェックボックス６７、分割印刷設定ボックス６８、および、色毎印刷設定ボックス６９が備えられている。たとえば、色覚障害対応モードチェックボックス６７および分割印刷設定ボックス６８を選択すると、給紙ローラ６によって給紙された普通紙７４に、イエローを除いた、マゼンタ、シアンおよびブラックによる３色のカラー画像が形成され、マルチパーパス給紙ローラ１３によって給紙された透明シート７３に、イエローの単色の画像が形成される。【選択図】　　図４
2004080118.tif 000002
【特許請求の範囲】
【請求項１】
コンピュータにカラー画像データを処理させるための画像処理プログラムであって、
カラー画像データに基づいて、記録媒体に形成されるカラー画像が、色覚障害者にとってより識別しやすいカラー画像となるように、前記カラー画像データを処理する画像処理手段としてコンピュータを機能させるための、画像処理プログラム。
【請求項２】
前記画像処理手段を実行させるか否かを選択するための実行選択手段としてコンピュータを機能させるための、請求項１に記載の画像処理プログラム。
【請求項３】
前記画像処理手段は、カラー画像のうち少なくとも１色の色を抜いた画像を形成させるように、前記カラー画像データを処理することを特徴とする、請求項１または２に記載の画像処理プログラム。
【請求項４】
前記画像処理手段は、色相を色平面上で回転させて画像を形成させるように、前記カラー画像データを処理することを特徴とする、請求項１または２に記載の画像処理プログラム。
【請求項５】
前記画像処理手段は、カラー画像において本来用いられるべき色の着色剤を、異なる色の着色剤に変更して画像を形成することを特徴とする、請求項１、２または４のいずれかに記載の画像処理プログラム。
【請求項６】
前記画像処理手段は、カラー画像データに基づく第１画像と、カラー画像データに基づく第２画像とを、記録媒体にそれぞれ形成させるように、カラー画像データを処理することを特徴とする、請求項１ないし５のいずれかに記載の画像処理プログラム。
【請求項７】
前記画像処理手段は、前記第１画像と前記第２画像とを、別々の記録媒体に形成させるように、前記カラー画像データを処理することを特徴とする、請求項６に記載の画像処理プログラム。
【請求項８】
前記画像処理手段は、別々の前記記録媒体を、それぞれ異なる供給手段から供給させることを特徴とする、請求項７に記載の画像処理プログラム。
【請求項９】
前記画像処理手段は、前記第１画像を透明シートに形成し、前記第２画像を普通紙に形成させるように、前記カラー画像データを処理することを特徴とする、請求項７または８に記載の画像処理プログラム。
【請求項１０】
前記画像処理手段は、前記第１画像および前記第２画像を１枚の記録媒体に形成させるように、前記カラー画像データを処理することを特徴とする、請求項６に記載の画像処理プログラム。
【請求項１１】
前記画像処理手段は、前記第１画像として、カラー画像のうち少なくとも１色の色を抜いた画像を形成させ、前記第２画像として、カラー画像データに従った画像を形成させるように、前記カラー画像データを処理することを特徴とする、請求項６ないし１０のいずれかに記載の画像処理プログラム。
【請求項１２】
前記画像処理手段は、前記第１画像として、色相を色平面上で回転させた画像を形成させ、前記第２画像として、カラー画像データに従ったカラー画像を形成させるように、カラー画像データを処理することを特徴とする、請求項６ないし１０のいずれかに記載の画像処理プログラム。
【請求項１３】
前記画像処理手段は、前記第１画像として、カラー画像において本来用いられるべき着色剤を、異なる色の着色剤に変更して画像を形成させ、前記第２画像として、カラー画像データに従ったカラー画像を形成させるように、カラー画像データを処理することを特徴とする、請求項６ないし１０および１２のいずれかに記載の画像処理プログラム。
【請求項１４】
前記画像処理手段は、前記第１画像として、カラー画像を構成する一部の色の画像を形成し、前記第２画像として、カラー画像を構成する他の色の画像を形成させるように、カラー画像データを処理することを特徴とする、請求項６ないし１０のいずれかに記載の画像処理プログラム。
【請求項１５】
請求項１ないし１４のいずれかに記載の画像処理プログラムを備え、画像形成装置に接続された端末装置にて起動され、前記画像形成装置によって記録媒体上に画像を形成させることを特徴とする、プリンタドライバ。
【請求項１６】
請求項１ないし１４のいずれかに記載の画像処理プログラムを備え、前記画像処理プログラムに基づいてカラー画像データを処理することを特徴とする、画像処理装置。
【発明の詳細な説明】
【０００１】
【発明の属する技術分野】
本発明は、画像処理プログラム、その画像処理プログラムを備えるプリンタドライバおよび画像処理装置に関する。
【０００２】
【従来の技術】
近年、プリンタなどの画像形成装置においては、インクジェットプリンタのみならず、レーザプリンタによっても、色彩の豊かなカラー画像を形成できるものが普及しつつある。
【０００３】
そのため、企業の会議やプレゼンテーションなどにおいても、カラープリンタによって作成され的確に色分けされた資料に基づいて、迅速かつ効率的なディスカッションができるようになってきている。
【０００４】
【発明が解決しようとする課題】
しかし、会議やプレゼンテーションなどにおいて、カラープリンタを用いて色分けした資料を作成し、それを配布しても、色覚障害者にとっては、却って分かりにくい場合を生ずる。
【０００５】
そのため、画像形成において、色覚障害者が見分けにくい画像領域がある場合に、予めその画像領域を使用者が抽出して、見分けやすい画像データに変更することも可能であるが、色覚障害者が見分けられない画像領域を的確に抽出して、それを見分けやすい画像データに変更するには、多大の処理が必要となり、効率のよい画像形成を図ることができないという不具合を生じる。
【０００６】
本発明は、このような事情に鑑みなされたもので、その目的とするところは、簡易な処理によって、色覚障害者にとっても、わかりやすい画像を形成することのできる画像処理プログラム、その画像処理プログラムを備えるプリンタドライバおよび画像処理装置を提供することにある。
【０００７】
【課題を解決するための手段】
上記目的を達成するため、請求項１に記載の発明は、コンピュータにカラー画像データを処理させるための画像処理プログラムであって、カラー画像データに基づいて、記録媒体に形成されるカラー画像が、色覚障害者にとってより識別しやすいカラー画像となるように、前記カラー画像データを処理する画像処理手段としてコンピュータを機能させることを特徴としている。
【０００８】
このような構成によると、カラー画像が、色覚障害者にとってより識別しやすいカラー画像となるように画像処理される。そのため、簡易な処理によって、色覚障害者にとって識別できる画像を形成することができる。
【０００９】
また、請求項２に記載の発明は、請求項１に記載の発明において、前記画像処理手段を実行させるか否かを選択するための実行選択手段としてコンピュータを機能させることを特徴としている。
【００１０】
このような構成によると、実行選択手段によって、画像処理手段の実行の有無を選択することができるので、色覚障害者を考慮しなくてよい場合には、画像処理手段を実行しないことを選択することによって、余分な処理の増加を防止して、処理の効率化を図ることができる。一方、色覚障害者を考慮する必要がある場合には、画像処理手段の実行を選択することによって、色覚障害者に対応した適切な処理をすることができる。
【００１１】
また、請求項３に記載の発明は、請求項１または２に記載の発明において、前記画像処理手段は、カラー画像のうち少なくとも１色の色を抜いた画像を形成させるように、前記カラー画像データを処理することを特徴としている。
【００１２】
このような構成によると、画像処理手段によって、カラー画像のうち少なくとも１色の色を抜いた画像が形成される。そのため、簡易な処理により、色覚障害者は、カラー画像のうち少なくとも１色の色を抜いた画像を容易に識別することができる。
【００１３】
また、請求項４に記載の発明は、請求項１または２に記載の発明において、前記画像処理手段は、色相を色平面上で回転させて画像を形成させるように、前記カラー画像データを処理することを特徴としている。
【００１４】
このような構成によると、画像処理手段によって、色相が色平面上で回転されて画像が形成される。そのため、色相の変換による簡易な処理によって、色覚障害者にとって識別できる画像を形成することができる。
【００１５】
また、請求項５に記載の発明は、請求項１、２または４のいずれかに記載の発明において、前記画像処理手段は、カラー画像において本来用いられるべき色の着色剤を、異なる色の着色剤に変更して画像を形成することを特徴としている。
【００１６】
このような構成によると、画像処理手段によって、カラー画像において本来用いられるべき色の着色剤が、異なる色の着色剤に変更されて画像が形成される。
そのため、着色剤の変更による簡易な処理によって、色覚障害者が識別できる画像を形成することができる。
【００１７】
また、請求項６に記載の発明は、請求項１ないし５のいずれかに記載の発明において、前記画像処理手段は、カラー画像データに基づく第１画像と、カラー画像データに基づく第２画像とを、記録媒体にそれぞれ形成させるように、カラー画像データを処理することを特徴としている。
【００１８】
このような構成によると、カラー画像データに基づく第１画像および第２画像が、記録媒体にそれぞれ形成される。そのため、色覚障害者は、第１画像または第２画像を見ることによって、容易に画像を識別することができる。
【００１９】
また、請求項７に記載の発明は、請求項６に記載の発明において、前記画像処理手段は、前記第１画像と前記第２画像とを、別々の記録媒体に形成させるように、前記カラー画像データを処理することを特徴としている。
【００２０】
このような構成によると、画像処理手段によって、第１画像と第２画像とが、別々の記録媒体に形成される。そのため、簡易な処理により、色覚障害者は、個々の記録媒体から容易に画像を識別することができる。
【００２１】
また、請求項８に記載の発明は、請求項７に記載の発明において、前記画像処理手段は、別々の前記記録媒体を、それぞれ異なる供給手段から供給させることを特徴としている。
【００２２】
このような構成によると、異なる供給手段から別々の記録媒体が供給されるので、一方の記録媒体には第１画像を形成し、他方の記録媒体には第２画像を形成することができる。そのため、簡易な処理により、別々の記録媒体に、第１画像と第２画像とを形成することができる。
【００２３】
また、請求項９に記載の発明は、請求項７または８に記載の発明において、前記画像処理手段は、前記第１画像を透明シートに形成し、前記第２画像を普通紙に形成させるように、前記カラー画像データを処理することを特徴としている。
【００２４】
このような構成によると、第２画像が形成される普通紙に、第１画像が形成される透明シートを重ね合わせれば、通常のフルカラー画像として見ることができる。そのため、簡易な処理により、個々の記録媒体によって色覚障害者に画像を識別させることができながら、通常のフルカラー画像として見ることもできる。
【００２５】
また、請求項１０に記載の発明は、請求項６に記載の発明において、前記画像処理手段は、前記第１画像および前記第２画像を１枚の記録媒体に形成させるように、前記カラー画像データを処理することを特徴としている。
【００２６】
このような構成によると、画像処理手段によって、第１画像および第２画像が１枚の記録媒体に形成されるので、第１画像および第２画像を一度に見ることができる。そのため、画像を迅速かつ効率的に識別することができる。
【００２７】
また、請求項１１に記載の発明は、請求項６ないし１０のいずれかに記載の発明において、前記画像処理手段は、前記第１画像として、カラー画像のうち少なくとも１色の色を抜いた画像を形成させ、前記第２画像として、カラー画像データに従った画像を形成させるように、前記カラー画像データを処理することを特徴としている。
【００２８】
このような構成によると、画像処理手段によって、第１画像としてのカラー画像のうち少なくとも１色の色を抜いた画像、および、第２画像としてのカラー画像データに従った画像がそれぞれ形成される。そのため、少なくとも１色の色を抜いた第１画像によって色覚障害者に画像を識別させることができながら、第２画像によって通常のフルカラー画像も見ることができる。
【００２９】
また、請求項１２に記載の発明は、請求項６ないし１０のいずれかに記載の発明において、前記画像処理手段は、前記第１画像として、色相を色平面上で回転させた画像を形成させ、前記第２画像として、カラー画像データに従ったカラー画像を形成させるように、カラー画像データを処理することを特徴としている。
【００３０】
このような構成によると、画像処理手段によって、色相を色平面上で回転させた画像が第１画像として形成され、カラー画像データに従ったカラー画像が第２画像として形成される。そのため、色相の変換による簡易な処理によって、色相を色平面上で回転させた第１画像によって色覚障害者に画像を識別させることができながら、第２画像によって通常のフルカラー画像も見ることができる。
【００３１】
また、請求項１３に記載の発明は、請求項６ないし１０および１２のいずれかに記載の発明において、前記画像処理手段は、前記第１画像として、カラー画像において本来用いられるべき着色剤を、異なる色の着色剤に変更して画像を形成させ、前記第２画像として、カラー画像データに従ったカラー画像を形成させるように、カラー画像データを処理することを特徴としている。
【００３２】
このような構成によると、画像処理手段によって、カラー画像において本来用いられるべき着色剤を、異なる色の着色剤に変更した画像が第１画像として形成され、カラー画像データに従ったカラー画像が第２画像として形成される。そのため、着色剤の変更による簡易な処理によって、本来用いられるべき着色剤を、異なる色の着色剤に変更した第１画像によって色覚障害者に画像を識別させることができながら、第２画像によって通常のフルカラー画像も見ることができる。
【００３３】
また、請求項１４に記載の発明は、請求項６ないし１１のいずれかに記載の発明において、前記画像処理手段は、前記第１画像として、カラー画像を構成する一部の色の画像を形成し、前記第２画像として、カラー画像を構成する他の色の画像を形成させるように、カラー画像データを処理することを特徴としている。
【００３４】
このような構成によると、カラー画像を構成する一部の色によって、第１画像が形成され、カラー画像データに従ったカラー画像が第２画像として形成される。そのため、一部の色によって画像を形成するという簡易な処理によって、カラー画像を構成する一部の色で形成した第１画像によって色覚障害者に画像を識別させることができながら、第２画像によって通常のフルカラー画像も見ることができる。
【００３５】
また、請求項１５に記載の発明は、プリンタドライバであって、請求項１ないし１４のいずれかに記載の画像処理プログラムを備え、画像形成装置に接続された端末装置にて起動され、前記画像形成装置によって記録媒体上に画像を形成させることを特徴としている。
【００３６】
このような画像処理プログラムを備えたプリンタドライバによれば、簡易な処理によって、色覚障害者が識別できる画像を形成することができる。
【００３７】
また、請求項１６に記載の発明は、画像処理装置であって、請求項１ないし１４のいずれかに記載の画像処理プログラムを備え、前記画像処理プログラムに基づいてカラー画像データを処理することを特徴としている。
【００３８】
このような画像処理プログラムを備えた画像処理装置によれば、簡易な処理によって、色覚障害者が識別できるカラー画像に処理することができる。
【００３９】
【発明の実施の形態】
図１は、本発明の画像形成装置としてのカラーレーザプリンタ１の一実施形態を示す要部側断面図である。図１において、このカラーレーザプリンタ１は、本体ケーシング２内に、用紙３を給紙するための給紙部４や、給紙された記録媒体としての用紙３に画像を形成するための画像形成部５などを備えている。
【００４０】
給紙部４は、本体ケーシング２内の底部に、着脱可能に装着される給紙トレイ６と、給紙トレイ６の一方側端部に設けられる供給手段としての給紙ローラ７（以下、このカラーレーザプリンタ１において、給紙ローラ７が設けられる側を後側、後述する転写ローラ１８が設けられる側を前側とする。）と、給紙パス８と、給紙パス８において、給紙ローラ７に対して用紙３の搬送方向下流側（以下、用紙３の搬送方向上流側または下流側を、単に、上流側または下流側という場合がある。）に設けられる搬送ローラ９と、給紙パス８において、搬送ローラ９に対し用紙３の搬送方向下流側に設けられるレジストローラ１０とを備えている。
【００４１】
給紙トレイ６は、上面が開放されたボックス形状をなし、用紙３が積層される用紙押圧板１１を備えている。用紙押圧板１１は、給紙ローラ７に対して遠い方の端部において揺動可能に支持されることによって、給紙ローラ７に対して近い方の端部が上下方向に移動可能とされ、また、その裏側から図示しないばねによって上方向に付勢されている。
【００４２】
そして、用紙押圧板１１上の最上位にある用紙３は、用紙押圧板１１の裏側から図示しないばねによって給紙ローラ７に向かって押圧され、給紙ローラ７が回転されることによって、給紙パス８に１枚毎に給紙される。
【００４３】
給紙パス８は、給紙ローラ７が配置される上流側端部から、上方に向かって一旦反転され、給紙トレイ６の上方において、後側から前側に向かって略平坦状に延び、後側から上方に向かって屈曲するように延び、転写位置（後述する転写ローラ１８および第１中間転写体支持ローラ３４の対向部分）を通過して、その下流側端部が、後述する定着部２０に至る経路として形成されている。
【００４４】
搬送ローラ９およびレジストローラ１０は、給紙パス８に臨むように、後側と前側とにそれぞれ配置されている。
【００４５】
そして、給紙ローラ７によって給紙パス８に給紙された用紙３は、一旦反転された後、搬送ローラ９によって、後側から前側に向かうようにして、レジストローラ１０に搬送され、その後、レジストローラ１０によってレジスト後に転写位置に搬送される。
【００４６】
また、このカラーレーザプリンタ１の給紙部４は、さらに、はがきなどの任意のサイズの用紙３が積層されるマルチパーパストレイ１２と、マルチパーパストレイ１２上に積層される用紙３を給紙するための供給手段としてのマルチパーパス給紙ローラ１３とを備えている。
【００４７】
マルチパーパストレイ１２は、給紙パス８における給紙ローラ７と搬送ローラ９との間に臨むように、本体ケーシング２の後側において、前側が下向きとなる傾斜状に設けられている。また、マルチパーパス給紙ローラ１３は、マルチパーパストレイ１２と対向する上方に配置されている。
【００４８】
そして、マルチパーパストレイ１２上の最上位にある用紙３は、マルチパーパス給紙ローラ１３が回転されることによって、給紙パス８に１枚毎に給紙される。給紙パス８に給紙された用紙３は、上記と同様に、搬送ローラ９からレジストローラ１０に搬送され、レジスト後に、転写位置に搬送される。
【００４９】
画像形成部５は、スキャナユニット１４、複数（４つ）の現像カートリッジ１５、感光ベルト機構部１６、中間転写ベルト機構部１７、転写ローラ１８、スコロトロン型帯電器１９および定着部２０などを備えている。
【００５０】
スキャナユニット１４は、本体ケーシング２内における給紙パス８の上方であって、中間転写ベルト機構部１７の下方に配置され、レーザ発光部（図示せず。）、回転駆動されるポリゴンミラー２１、レンズ２２、反射鏡２３および２４を備えている。そして、このスキャナユニット１４では、レーザ発光部から発光される画像データに基づくレーザビームを、矢印で示すように、ポリゴンミラー２１、レンズ２２、反射鏡２３および２４の順に透過あるいは反射させて、後述する感光ベルト機構部１６の感光ベルト３２の表面上に、高速走査にて照射させている。
【００５１】
４つの現像カートリッジ１５は、各色毎に、イエローのトナーが収容されるイエロー現像カートリッジ１５Ｙ、マゼンタのトナーが収容されるマゼンタ現像カートリッジ１５Ｍ、シアンのトナーが収容されるシアン現像カートリッジ１５Ｃおよびブラックのトナーが収容されるブラック現像カートリッジ１５Ｋのそれぞれが、本体ケーシング２内の後側において、上下方向において下から互いに所定の間隔を隔てて並列状に順次配置されている。
【００５２】
各現像カートリッジ１５は、それぞれ、現像ローラ２５、層厚規制ブレード２６、供給ローラ２７およびトナー収容室２８を備えており、現像ローラ２５を後述する感光ベルト３２の表面に接触または離間させることができるように、図示しない現像カートリッジ接離機構によって水平方向に移動可能に構成されている。
【００５３】
各トナー収容室２８内には、着色剤として、イエロー、マゼンタ、シアンおよびブラックの各色の正帯電性の非磁性１成分のトナーが収容されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、略球形をなし、流動性が極めて良好である。なお、このようなトナーには、各色に対応した顔料やワックスなどが配合されるとともに、流動性を向上させるために、シリカなどの外添剤が添加されており、その粒子径は、約６〜１０μｍ程度とされている。
【００５４】
各現像カートリッジ１５において、供給ローラ２７と現像ローラ２５とは、そのそれぞれがある程度圧縮されるような接触状態で回転可能に設けられており、現像ローラ２５は、図示しないメインモータによって、その回転方向が、後述する感光ベルト３２と接触する接触部分（ニップ部分）において、下から上に回転（時計方向に回転）駆動するように構成されている。また、現像ローラ２５には、現像バイアスが印加されている。
【００５５】
また、層厚規制ブレード２６は、供給ローラ２７の下方であって、現像ローラ２５における感光ベルト３２と対向する反対側の表面を押圧するように設けられている。
【００５６】
そして、トナー収容室２８に収容されているトナーが、供給ローラ２７の回転によって現像ローラ２５に供給される。このとき、トナーは、供給ローラ２７と現像ローラ２５との間で正の極性に摩擦帯電され、さらに、現像ローラ２５上に供給されたトナーは、現像ローラ２５の回転に伴って、層厚規制ブレード２６と現像ローラ２５との間に進入し、一定の厚さの薄層として現像ローラ２５上に担持される。
【００５７】
感光ベルト機構部１６は、４つの現像カートリッジ１５の前側側方に配置され、最下位に位置するイエロー現像カートリッジ１５Ｙと対向する感光体支持ローラ３０と、この感光体支持ローラ３０の垂直方向上方で、最上位に位置するブラック現像カートリッジ１５Ｋと対向する感光体駆動ローラ３１と、これら感光体支持ローラ３０および感光体駆動ローラ３１の間に巻回されるエンドレスベルトからなる感光ベルト３２とを備えている。この感光ベルト３２は、その表面に有機感光体からなる感光層を備えており、すべての現像ローラ２５と対向接触できるように、上下方向に配置されている。
【００５８】
そして、この感光ベルト機構部１６では、感光体駆動ローラ３１に、図示しないメインモータからの動力が伝達されることにより、感光体駆動ローラ３１が回転駆動（反時計方向に回転駆動）され、感光体支持ローラ３０が従動（反時計方向に従動）されることにより、感光ベルト３２が、これら感光体支持ローラ３０および感光体駆動ローラ３１の間を周回移動（反時計方向に周回移動）するように構成されている。
【００５９】
これによって、感光ベルト３２は、最下位に位置するイエロー現像カートリッジ１５Ｙの現像ローラ２５から最上位に位置するブラック現像カートリッジ１５Ｋの現像ローラ２５に向けて移動、つまり、各現像ローラ２５と接触する接触部分（ニップ部分）において、各現像ローラ２５と同一方向に、感光ベルト３２が上向きに移動される。
【００６０】
中間転写ベルト機構部１７は、スキャナユニット１４の上方であって、感光ベルト機構部１６の前側側方に配置され、中間転写体駆動ローラ３３、第１中間転写体支持ローラ３４および第２中間転写体支持ローラ３５と、カーボンなどの導電性粒子を分散した導電性のポリカーボネートやポリイミドなどの樹脂からなるエンドレスベルトからなる中間転写ベルト３６とを備えている。
【００６１】
中間転写体駆動ローラ３３は、感光ベルト３２および中間転写ベルト３６を挟んで感光体駆動ローラ３１と対向配置されている。第１中間転写体支持ローラ３４は、中間転写体駆動ローラ３３に対して、斜め前側下方に配置され、後述する転写ローラ１８と中間転写ベルト３６を挟んで対向配置されている。第２中間転写体支持ローラ３５は、中間転写体駆動ローラ３３の下方であって、第１中間転写体支持ローラ３４に対して後側側方に配置されている。そして、これら中間転写体駆動ローラ３３、第１中間転写体支持ローラ３４および第２中間転写体支持ローラ３５が、略三角形状に配置され、その周りに中間転写ベルト３６が巻回されている。
【００６２】
そして、この中間転写ベルト機構部１７では、中間転写体駆動ローラ３３に、図示しないメインモータからの動力が伝達されることにより、中間転写体駆動ローラ３３が回転駆動（時計方向に回転駆動）され、第１中間転写体支持ローラ３４および第２中間転写体支持ローラ３５が従動（時計方向に従動）されることにより、中間転写ベルト３６が、これら中間転写体駆動ローラ３３、第１中間転写体支持ローラ３４および第２中間転写体支持ローラ３５の間を周回移動（時計方向に周回移動）するように構成されている。
【００６３】
これによって、中間転写ベルト３６は、中間転写体駆動ローラ３３において、感光ベルト３２と対向接触し、その接触部分（ニップ部分）において、感光ベルト３２と同方向に移動される。
【００６４】
転写ローラ１８は、中間転写ベルト３６の表面と接触するように、中間転写ベルト機構部１７の第１中間転写体支持ローラ３４と中間転写ベルト３６を挟んで対向配置されており、中間転写ベルト３６との接触部分（ニップ部分）において、中間転写ベルト３６と同方向に回転（反時計方向に回転）するように構成されている。なお、この転写ローラ１８は、図示しない転写ローラ接離機構によって、用紙３にカラー画像を転写する時には、中間転写ベルト３６と接触する接触位置に移動され、転写しない時には、中間転写ベルト３６から離間する離間位置に移動されるように構成されている。
【００６５】
また、転写ローラ１８は、図示しないメインモータによって駆動され、転写バイアスが印加されるように構成されている。
【００６６】
スコロトロン型帯電器１９は、感光ベルト３２の表面と接しないように、所定間隔を隔てて配設されており、感光ベルト３２の移動方向における感光体支持ローラ３０の近傍上流側に設けられている。このスコロトロン型帯電器１９は、タングステンなどの帯電用ワイヤからコロナ放電を発生させる正帯電用のスコロトロン型の帯電器であり、感光ベルト３２の表面を一様に正極性に帯電させるように構成されている。
【００６７】
そして、感光ベルト３２の表面は、スコロトロン型帯電器１９により一様に正帯電された後、スキャナユニット１４からのレーザービームの高速走査により露光され、画像データに基づく静電潜像が形成される。
【００６８】
次いで、静電潜像が形成された感光ベルト３２に、特定の現像カートリッジ１５の現像ローラ２５を、図示しない現像カートリッジ接離機構によって接触させることにより、感光ベルト３２上に、その特定の現像カートリッジ１５に収容される単色のトナー画像が形成される。感光ベルト３２上に形成された単色のトナー画像は、次いで、中間転写ベルト３６と対向した時に、その中間転写ベルト３６に転写され、その中間転写ベルト３６において順次重ね合わされることにより、カラー画像が形成される。
【００６９】
すなわち、たとえば、まず、図示しない現像カートリッジ接離機構によって、最下位に位置するイエロー現像カートリッジ１５Ｙを水平方向前方に移動させて、イエロー現像カートリッジ１５Ｙの現像ローラ２５を、静電潜像が形成される感光ベルト３２に接触させるとともに、マゼンタ現像カートリッジ１５Ｍ、シアン現像カートリッジ１５Ｃおよびブラック現像カートリッジ１５Ｋを水平方向後方に移動させて残りの現像ローラ２５を感光ベルト３２から離間させることにより、イエロー現像カートリッジ１５Ｙに収容されるイエローのトナーによって感光ベルト３２上にイエローのトナー画像が形成され、次いで、感光ベルト３２の移動により、そのイエローのトナー画像が中間転写ベルト３６と対向した時に、その中間転写ベルト３６に転写される。
【００７０】
次いで、上記と同様にして、再び感光ベルト３２上に静電潜像が形成される一方で、各現像カートリッジ１５を、図示しない現像カートリッジ接離機構によって、水平方向に適宜移動させることにより、下から二番目に位置するマゼンタ現像カートリッジ１５Ｍの現像ローラ２５を感光ベルト３２に接触させるとともに、残りの現像ローラ２５を離間させることにより、マゼンタ現像カートリッジ１５Ｍに収容されるマゼンタのトナーによって感光ベルト３２上にマゼンタのトナー画像が形成されると、そのマゼンタのトナー画像は、中間転写ベルト３６と対向した時に、既にイエローのトナー画像が転写されている中間転写ベルト３６上に重ねて転写される。
【００７１】
このような同様の動作が、シアン現像カートリッジ１５Ｃに収容されるシアンのトナーおよびブラック現像カートリッジ１５Ｋに収容されるブラックのトナーによって繰り返され、これによって、中間転写ベルト３６上にイエロー、マゼンタ、シアン、ブラックの各トナーによるカラー画像が形成される。
【００７２】
そして、このようにして中間転写ベルト３６上に形成されたカラー画像は、用紙３が中間転写ベルト３６と、接触位置に移動される転写ローラ１８との間を通る間に、その用紙３に一括転写される。
【００７３】
定着部２０は、転写ローラ１８の上方であって、給紙パス８の下流側端部に配置されており、加熱ローラ４１と、その加熱ローラ４１を押圧する押圧ローラ４２と、搬送ローラ４３とを備えている。加熱ローラ４１は、金属製で加熱のためのハロゲンランプを備えており、用紙３上に転写されたカラー画像を、用紙３が加熱ローラ４１と押圧ローラ４２との間を通過する間に熱定着させるようにしている。
【００７４】
そして、このように定着部２０においてカラー画像が熱定着された用紙３は、搬送ローラ４３によって、排紙パス４４に送られ、排紙パス４４の下流側端部に設けられる排紙ローラ４５によって、本体ケーシング２の上部に形成される排紙トレイ４６上に排紙される。
【００７５】
図２は、このカラーレーザプリンタ１が接続される端末装置としてのパーソナルコンピュータ５１を備えるコンピュータシステム５０を示すブロック図であり、図３は、このパーソナルコンピュータ５１において、プリンタドライバ６４を起動させるための階層構造を示すブロック図である。
【００７６】
パーソナルコンピュータ５１には、装置の制御を実施するＣＰＵ５２と、そのＣＰＵ５２内に、制御プログラムが格納されるＲＯＭ５３、ワークメモリが格納されるＲＡＭ５４、および、電源が切断されても情報が記憶された状態で残るＮＶＲＡＭ５５とが備えられている。パーソナルコンピュータ５１には、ＣＤ−ＲＯＭ５６を装填再生するためのＣＤ−ＲＯＭ再生装置５７、ＣＲＴ５８、キーボード５９、ＣＲＴ５８の画面内での各種操作を行なうためのマウス６０、オペレーションシステム（ＯＳ）６２やアプリケーションソフトウェア６３やプリンタドライバ６４がインストールされるハードディスク４０、および、各種外部機器とパーソナルコンピュータ５１を接続するためのインターフェイス６１が備えられており、それらが、それぞれＣＰＵ５２と接続されている。このパーソナルコンピュータ５１は、このインターフェイス６１を介してカラーレーザプリンタ１に設けられているインターフェイスと接続されることによって、カラーレーザプリンタ１と接続されている。
【００７７】
そして、このコンピュータシステム５０では、ＣＤ−ＲＯＭ再生装置５７に、カラーレーザプリンタ１に送信する印刷ジョブを作成するための画像処理プログラムを備えるプリンタドライバ６４が記録されているＣＤ−ＲＯＭ５６が装填されると、ハードディスク４０にそのプリンタドライバ６４がインストールされ、図３に示すように、所定のオペレーションシステム（ＯＳ）６２上でプリンタドライバ６４が起動可能な状態となる。
【００７８】
そして、本実施形態では、このようにして起動されるプリンタドライバ６４に、通常プリンタドライバ６４として設定されている印刷制御コマンド（すなわち、アプリケーションソフトウェア６３上で作成されたオペレーションシステム６２に準じたデータ形式の文字や図形からなる画像データをカラーレーザプリンタ１が受信できる、たとえば、ページ記述言語（ＰＤＬ）からなる画像データに変換して、カラーレーザプリンタ１に送信する画像処理プログラム）の他に、色覚障害者にとっても、わかりやすい画像を形成するための画像処理プログラムとして、後述する画像処理手段としての色覚障害対応モードが設定されている。
【００７９】
印刷制御コマンドでは、アプリケーションソフトウェア６３上で作成された文字や図形からなる画像が、ページ記述言語（ＰＤＬ）によって、文字データや、文字データ以外のデータである図形データからなる画像データにそれぞれ変換される。その後、変換された画像データは、印刷ジョブとしてカラーレーザプリンタ１にインターフェイス６１を介して送信（インターフェイス送信処理）され、カラーレーザプリンタ１において印刷処理が実行される。このとき、カラーレーザプリンタ１では、文字データや図形データを受信して、そのデータ内容（色、大きさ、フォント、太さ等）を読み取って、印刷が行なわれる。
【００８０】
次に、このプリンタドライバ６４の色覚障害対応モードについて詳述する。
【００８１】
たとえば、ユーザが、会議やプレゼンテーションに使用する画像をアプリケーションソフトウェア６３を用いて作成した後、印刷する場合において、色覚障害者にとっても、識別しやすいように印刷したい場合には、まず、プリンタドライバ６４のプロパティを表示させる。プリンタドライバ６４のプロパティを表示させるには、アプリケーションソフトウェア６３上から印刷実行ウィンドウ（図示せず）を選択し、表示された印刷実行ウィンドウ上からプロパティを選択する公知の操作方法に従えばよい。
【００８２】
このようにして、プリンタドライバ６４のプロパティが選択されると、たとえば、図４に示すプロパティウィンドウ６５が表示される。
【００８３】
プロパティウィンドウ６５には、たとえば、「情報」ダイアログ、「詳細」ダイアログ、「共有」ダイアログ、「用紙」ダイアログ、「グラフィックス」ダイアログ、「デバイスオプション」ダイアログ、「両面印刷」ダイアログおよび「色覚」ダイアログなど、複数のダイアログが備えられており、任意のダイアログ画面をクリックして選択することにより、所定のダイアログを最前面にて表示させて、各種設定ができるようになっている。この図４においては、色覚ダイアログ６６が最前面に表示されている。
【００８４】
色覚ダイアログ６６には、色覚障害者が識別しやすい画像を形成するための、色覚障害対応モードを選択可能な実行選択手段としての色覚障害対応モードチェックボックス６７が備えられている。そして、色覚障害者にとって識別しやすいように印刷したい場合には、この色覚障害者対応モードチェックボックス６７にチェックを入れる。
【００８５】
この色覚障害対応モードチェックボックス６７のチェックを入れると、後述するプリンタドライバ６４のページ処理において、図５のフロー図で示される色覚障害対応モードの処理が実行される。色覚障害者を考慮する必要がある場合には、このようにして色覚障害対応モードを選択することによって、色覚障害者に対応した適切な画像を形成することができる。一方、色覚障害者を考慮しなくてよい場合には、色覚障害対応モードチェックボックス６７のチェックを外せばよい。これによって、色覚障害対応モードが選択されず、余分な処理の増加を防止して、処理の効率化を図ることができる。
【００８６】
また、色覚ダイアログ６６には、カラー画像を別々の用紙３に色分けして印刷するか否かを選択するための分割印刷設定ボックス６８と、カラー画像を色ごとに印刷するか否かを選択するための色毎印刷設定ボックス６９とが備えられている。
【００８７】
分割印刷設定ボックス６８では、カラー画像データが、それぞれ、そのカラー画像を構成する一部の色の画像と他の色の画像とに分けて、別々の用紙３に分割して印刷される分割印刷処理の選択が設定される。
【００８８】
より具体的には、この分割印刷設定ボックス６８がチェックされると、後で詳述するが、カラー画像データのうち、第１画像として、カラー画像を構成する１色（イエロー）の画像がＯＨＰシートに、第２画像として、他の色（残りのシアン、マゼンタおよびブラックの３色）の画像が普通紙に、それぞれ別々に印刷される印刷処理が設定される。
【００８９】
色毎印刷設定ボックス６９では、カラー画像データが、そのカラー画像を構成する色ごとの画像が印刷される色毎印刷処理の選択が設定される。
【００９０】
より具体的には、色毎印刷設定ボックス６９には、１枚の普通紙に印刷する「割付け印刷」、および、複数枚の普通紙に印刷する「枚葉印刷」に対応したチェックボックスがそれぞれ備えられている。
【００９１】
そして、たとえば、「割付け印刷」のチェックボックス７０がチェックされると、後述する印刷処理において、各色ごとの画像と全色の画像とが１枚の用紙３に割付け印刷される割付け印刷処理の選択が設定される。
【００９２】
また、たとえば、「枚葉印刷」のチェックボックス７１がチェックされると、後述する印刷処理において、各色ごとの画像と全色の画像とがそれぞれ別々の用紙３に枚葉印刷される枚葉印刷処理の選択が設定される。
【００９３】
なお、この色覚障害対応モードにおいては、分割印刷処理と色毎印刷処理とが択一的に選択されるように、分割印刷設定ボックス６８および色毎印刷設定ボックス６９のいずれか一方のみがチェックできるように設定されている。また、色毎印刷処理において、割付け印刷処理と枚葉印刷処理とが択一的に選択されるように、「割付け印刷」のチェックボックス７０および「枚葉印刷」のチェックボックス７１のいずれか一方のみがチェックできるように設定されている。
【００９４】
そして、色覚障害対応モードチェックボックス６７、分割印刷設定ボックス６８、色毎印刷設定ボックス６９、「割付け印刷」のチェックボックス７０、「枚葉印刷」のチェックボックス７１が適宜チェックされた後、色覚ダイアログ６６内のＯＫボタン７２をクリックすると、色覚障害対応モードの選択、および、分割印刷設定ボックス６８および色毎印刷設定ボックス６９において入力された印刷処理に関する情報が、ＣＰＵ５２内のＮＶＲＡＭ５５に記憶される。ＮＶＲＡＭ５５に記憶されたこれらの情報は、色覚ダイアログ６６を表示させることによって、随時、変更することができる。これらの情報を変更した後は、変更後の情報が、ＮＶＲＡＭ５５に記憶される。これらの情報を、ＮＶＲＡＭ５５に記憶させるようにすれば、特定の色覚障害者が反復して使用する場合に、使用時において、毎回、これらの情報を選択して入力する手間を省くことができる。
【００９５】
そして、このような色覚ダイアログ６６で各種設定がなされた後、印刷処理を実行させると、図５に従ったページ処理が開始される。
【００９６】
なお、印刷処理の実行は、色覚ダイアログ６６を終了した後に、印刷実行ウィンドウ（図示せず）において、印刷ページ範囲や、印刷枚数などを設定した後、印刷実行のための「ＯＫ」ボタンをクリックする公知の操作方法に従えばよい。
そして、印刷処理が実行されると、印刷実行ウィンドウで設定された１つのジョブにおける、１ページごとに、図５に示すページ処理が開始される。
【００９７】
すなわち、ページ処理が開始されると、まず、現在のページ番号が認識された（Ｓ１）後、アプリケーションソフトウェア６３によって作成された画像がカラーレーザプリンタ１において印刷可能な画像データに変換される画像データ処理が行なわれる（Ｓ２）。このデータ処理では、上記したように、ページ記述言語（ＰＤＬ）によって文字や図形が、それぞれカラーレーザプリンタ１によって印刷可能な文字データや図形データに変換される。
【００９８】
次いで、このような画像データ処理が行なわれた後、色覚障害対応モードが選択されているか否かが判断される（Ｓ３）。色覚障害対応モードが選択されていない場合、すなわち、上記の図４において、色覚障害対応モードチェックボックス６７がチェックされていない場合（Ｓ３：ＮＯ）には、色覚障害対応モードの処理が行なわれることなく、そのまま、通常の印刷モードで、インターフェイス送信処理（Ｓ９）がなされる。
【００９９】
一方、色覚障害対応モードが選択されている場合、すなわち、上記の図４において、色覚障害対応モードチェックボックス６７がチェックされている場合（Ｓ３：ＹＥＳ）には、次に、分割印刷処理が選択されているか否かが判断される（Ｓ４）。
【０１００】
分割印刷処理が選択されている場合、すなわち、分割印刷設定ボックス６８がチェックされている場合（Ｓ４：ＹＥＳ）には、分割印刷処理が実行される（Ｓ５）。次に、この分割印刷処理について詳述する。
【０１０１】
この処理では、図１に示すように、予め、給紙トレイ６に、普通紙７４をセットしておき、マルチパーパストレイ１２に、ＯＨＰシートなどの透明シート７３をセットしておく。
【０１０２】
そして、分割印刷処理の実行が、インターフェイス送信処理によってカラーレーザプリンタ１に送信されると、カラーレーザプリンタ１において、この分割印刷処理が開始される。この処理が開始されると、まず、給紙ローラ６が駆動され、普通紙７４がレジストローラ１０に送られる。一方、画像形成部５では、上記と同様の方法によって、たとえば、イエローを除いた、マゼンタ、シアンおよびブラックの３色のトナー画像が中間転写ベルト３６上に形成される。そして、レジストローラ１０の駆動により、所定のタイミングで、普通紙７４が転写位置に送られる。転写位置に送られた普通紙７４には、その普通紙７４が第１中間転写体支持ローラ３４と転写ローラ１８との間を通過する間に、中間転写ベルト３６上に形成された３色のトナー画像が転写される。３色のトナー画像が形成された普通紙７４は、その後、定着部２０において熱定着された後、排紙ローラ４５によって排紙トレイ４６上に排紙される。
【０１０３】
次いで、所定のタイミングで、マルチパーパス給紙ローラ１３が駆動され、透明シート７３がレジストローラ１０に送られる。一方、画像形成部５では、上記と同様の方法によって、たとえば、イエローの単色のトナー画像が中間転写ベルト３６上に形成される。そして、レジストローラ１０の駆動により、所定のタイミングで、透明シート７３が転写位置に送られる。転写位置に送られた透明シート７３には、その透明シート７３が第１中間転写体支持ローラ３４と転写ローラ１８との間を通過する間に、中間転写ベルト３６上に形成されたイエローのトナー画像が転写される。イエローのトナー画像が形成された透明シート７３は、その後、定着部２０において熱定着された後、排紙ローラ４５によって排紙トレイ４６上に排紙される。
【０１０４】
これによって、黄色以外の３色で形成された画像が印刷された普通紙７４と、黄色単色で形成された画像が印刷された透明シート７３とが、排紙トレイ４６上に載置される。
【０１０５】
そして、黄色以外の３色で形成された画像が印刷された普通紙７４、および、黄色の単色で形成された画像が印刷された透明シート７３を、図６（ａ）に示すように、それぞれ重ねて、透明シート７３の側から目視すると、ユーザは、全色を使用して１枚の用紙に印刷した場合と同じように、通常のフルカラー画像として、印刷された画像を見ることができる。一方、このように印刷された画像に、色覚障害者が識別しにくい部分があれば、図６（ｂ）に示すように、透明シート７３を普通紙７４から剥がせば、色覚障害者は、普通紙７４および透明シート７３のそれぞれから、容易に画像を識別することができる。そのため、この分割印刷処理では、簡易な処理によって、色覚障害者に、普通紙７４および透明シート７３から容易に画像を識別させることができ、また、透明シート７３を普通紙７４に合わせるだけで、通常のフルカラー画像として見ることもできる。
【０１０６】
また、この分割印刷処理では、カラーレーザプリンタ１において、普通紙７４を給紙トレイ６から給紙ローラ７によって給紙させ、透明シート７３をマルチパーパストレイ１２からマルチパーパス給紙ローラ１３によって給紙させるので、簡易な処理によって、別々の用紙３に対するそれぞれの画像の形成を実現することができる。
【０１０７】
また、以上の説明では、黄色の単色の画像を透明シート７３に印刷し、残りの３色によるカラー画像を普通紙７４に印刷したが、この分割印刷処理では、特にこの組み合わせに限定されるものではなく、一部の色と残りの色とは、任意に組み合わせることができる。たとえば、任意の２色を透明シート７３に印刷し、残りの２色を普通紙７４に印刷したり、あるいは、任意の３色を透明シート７３に印刷し、残りの１色を普通紙７４に印刷するなど、色覚障害者に対応した適宜の組み合わせで、印刷させることができる。
【０１０８】
また、図５に示すステップ４において、分割印刷処理が選択されていない場合（Ｓ４：ＮＯ）、すなわち、色毎印刷処理が選択されている場合、より具体的には、色毎印刷設定ボックス６９がチェックされている場合には、割付け印刷処理が選択されているか否かが判断される（Ｓ６）。
【０１０９】
すなわち、「割付け印刷」のチェックボックス７０がチェックされている場合（Ｓ６：ＹＥＳ）には、割付け印刷処理が実行される（Ｓ７）。
【０１１０】
この割付け印刷処理では、たとえば、図７に示すように、カラーレーザプリンタ１において、第１画像として、イエロー、マゼンタ、シアンの各色ごとの単色の３つの画像７５と、第２画像として、イエロー、マゼンタ、シアンおよびブラックの全色のフルカラー画像７６とが、１枚の用紙３に割付けて印刷される。これによって、簡易な処理によって、単色で形成された各画像７５によって、色覚障害者に、その画像７５を識別させることができ、これに合わせて、通常のフルカラー画像７６を見ることもできる。また、この処理では、単色の画像７５とフルカラー画像７６とが１枚の用紙３に形成されるので、これらの単色の画像７５およびフルカラー画像７６を一度に見ることができ、これら単色の画像７５およびフルカラー画像７６を、迅速かつ効率的に識別することができる。
【０１１１】
また、割付け印刷処理が選択されていない場合（Ｓ６：ＮＯ）、すなわち、「枚葉印刷」のチェックボックス７１がチェックされている場合には、枚葉印刷処理が実行される（Ｓ８）。
【０１１２】
この枚葉印刷処理では、たとえば図８に示すように、カラーレーザプリンタ１において、第１画像として、イエロー、マゼンタ、シアンの各色ごとの単色の３つの画像７５と、第２画像として、イエロー、マゼンタ、シアンおよびブラックの全色のフルカラー画像７６とが、それぞれ４枚の用紙３に印刷される。これによっても、単色で形成された各画像７５によって、色覚障害者に、その画像７５を識別させることができ、これに合わせて、通常のフルカラー画像７６を見ることもできる。
【０１１３】
そして、上記した分割印刷処理や色毎印刷処理によれば、カラー画像が、色覚障害者にとってより識別しやすいカラー画像となるように画像処理されるので、簡易な処理によって、色覚障害者にとって識別できる画像を形成することができる。
【０１１４】
なお、以上の説明では、イエロー、マゼンタ、シアンおよびブラックの４色のうちの３色を抜いた画像７５を、たとえば、割付け印刷処理では、フルカラー画像７６とともに４箇所に割付け印刷し、たとえば、枚葉印刷処理では、フルカラー画像７６とともに４枚の用紙３にそれぞれ印刷したが、たとえば、イエロー、マゼンタ、シアンおよびブラックの４色のうち、たとえば、２色あるいは１色の色を抜いた画像と、フルカラー画像７６とを、割付け印刷処理においては、３箇所あるいは２箇所に割付け印刷し、枚葉印刷処理においては、３枚あるいは２枚の用紙３にそれぞれ印刷してもよい。
【０１１５】
また、以上の説明では、単色の画像７５とフルカラー画像７６とを印刷するようにしたが、単色の画像７５に代えて、たとえば、カラー画像の色相を、図９に示すように、Ｌａ＊ｂ＊表色系の色平面上で回転させて画像を形成してもよい。
すなわち、このような色相変換処理では、たとえば、カラー画像データ中の赤−緑間の色相を、反時計方向（矢印方向）に１２０°回転させて、緑−青間の色相に変換させる。これにより、色相を変換させるのみの簡易な処理によって、たとえば、赤と緑との識別が困難な第１および第２色覚障害者に、容易にそのカラー画像を識別させることができる。
【０１１６】
なお、このような色相変換処理は、上記した図４に示すプロパティウィンドウ６５の色覚ダイアログ６６に色相変換処理を選択するためのチェックボックスを設け、そのチェックボックスのチェックにより、実行できるように設定すればよい。
【０１１７】
また、この色相変換処理は、より具体的には、プリンタドライバ６４において、アプリケーションソフトウェア６３により作成された画像を、カラーレーザプリンタ１において印刷可能な画像データに変換する画像データ処理の中で実行されるように設定すればよい。
【０１１８】
また、この色相変換処理は、第１画像として、色相変換処理された画像と、第２画像として、フルカラー画像との両方を、上記と同様に適宜印刷すればよい。
【０１１９】
また、上記の説明では、図９に示すＬａ＊ｂ＊表色系の色平面上において、赤−緑間の色相を１２０°回転させて緑−青間の色相に変換する例を示したが、この処理では、色覚障害者に対応させて、任意の色相を任意の角度（たとえば、６０°、９０°など）で回転させることができる。
【０１２０】
また、このように色相を変化させる場合で、１２０°回転させる場合には、カラー画像において本来用いられるべき色のトナーを、異なる色のトナーに変換して画像を形成してもよい。
【０１２１】
すなわち、このようなトナー変換処理では、たとえば、カラー画像において、本来マゼンタのトナーが用いられるべき場合に、そのマゼンタのトナーに代えてイエローのトナーが用いられるように、あるいは、マゼンタのトナーに代えてシアンのトナーが用いられるように、カラーレーザプリンタ１を制御する。これにより、用いるトナーを変換する簡易な処理によって、色覚障害者が識別できる画像を形成することができる。
【０１２２】
なお、このようなトナー変換処理は、上記した図４に示すプロパティウィンドウ６５の色覚ダイアログ６６に、トナー変換処理を選択するためのチェックボックスを設け、そのチェックボックスのチェックにより実行できるように設定すればよい。
【０１２３】
また、このようなトナー変換処理は、より具体的には、プリンタドライバ６４によって、たとえば、カラーレーザプリンタ１において、各ピクセルのＲＧＢデータを各トナーの色に対応するＹＭＣＫデータに変換する時に、たとえば、ＹＭＣＫデータを、ＭＹＣＫデータに変換させればよい。
【０１２４】
また、このトナー変換処理は、第１画像として、トナー変換処理された画像と、第２画像として、フルカラー画像との両方を、上記と同様に適宜印刷すればよい。
【０１２５】
以上、本発明の実施形態について説明したが、本発明は、その他の形態においても実施することができる。すなわち、以上の説明では、本発明の画像形成装置を、いわゆる中間転写方式のカラーレーザプリンタ１を例にとって説明したが、本発明の画像形成装置は、これに限らず、いわゆるタンデム方式のカラーレーザプリンタであってもよく、さらには、インクジェットカラープリンタであってもよい。
【０１２６】
また、以上の説明では、色覚障害対応モードをプリンタドライバ６４に搭載したが、色覚障害対応モードは、プリンタドライバ６４以外のソフトウェアや画像処理装置に搭載してもよい。さらに、以上の説明では、プリンタドライバ６４をパーソナルコンピュータ５１にインストールして、そのパーソナルコンピュータ５１からカラーレーザプリンタ１を制御したが、たとえば、カラーレーザプリンタ１のＣＰＵで、色覚障害対応モードが実行可能となるようにセットアップして、カラーレーザプリンタ１の操作パネル上で色覚障害対応モードの操作を行なってもよい。
【０１２７】
また、以上の説明では、プリンタドライバ６４がページ記述言語（ＰＤＬ）に基づいて作動するものとして説明したが、ＧＤＩ（Ｇｒａｐｈｉｃｓ　Ｄｅｖｉｃｅ　Ｉｎｔｅｒｆａｃｅ）に基づいて作動するものであってもよい。なお、この場合には、上記の処理が終了した後に、プリンタドライバ６４において、ＲＧＢデータが各トナーの色に対応するＹＭＣＫデータに変換される。
【０１２８】
さらに、以上の説明では、ＲＧＢ表色系を色データとして有する画像データを例にとって説明したが、Ｌａ＊ｂ＊表色系を色データとして有する画像データについても同様の処理を適用することができる。また、以上の説明では、主として、第１色覚障害者および第２色覚障害者にとって、識別しやすい画像処理について説明したが、第３色覚障害者にとって、識別しやすい画像処理についても、上記と同様の処理を適用することができる。
【０１２９】
【発明の効果】
以上述べたように、請求項１に記載の発明によれば、簡易な処理によって、色覚障害者にとって識別できる画像を形成することができる。
【０１３０】
請求項２に記載の発明によれば、色覚障害者を考慮しなくてよい場合には、画像処理手段を実行しないことを選択することによって、余分な処理の増加を防止して、処理の効率化を図ることができる。一方、色覚障害者を考慮する必要がある場合には、画像処理手段の実行を選択することによって、色覚障害者に対応した適切な処理をすることができる。
【０１３１】
請求項３に記載の発明によれば、簡易な処理により、色覚障害者は、カラー画像のうち少なくとも１色の色を抜いた画像を容易に識別することができる。
【０１３２】
請求項４に記載の発明によれば、色相の変換による簡易な処理によって、色覚障害者にとって識別できる画像を形成することができる。
【０１３３】
請求項５に記載の発明によれば、着色剤の変更による簡易な処理によって、色覚障害者が識別できる画像を形成することができる。
【０１３４】
請求項６に記載の発明によれば、色覚障害者は、第１画像または第２画像を見ることによって、容易に画像を識別することができる。
【０１３５】
請求項７に記載の発明によれば、簡易な処理により、色覚障害者は、個々の記録媒体から容易に画像を識別することができる。
【０１３６】
請求項８に記載の発明によれば、簡易な処理により、別々の記録媒体に、第１画像と第２画像とを形成することができる。
【０１３７】
請求項９に記載の発明によれば、簡易な処理により、個々の記録媒体によって色覚障害者に画像を識別させることができながら、通常のフルカラー画像として見ることもできる。
【０１３８】
請求項１０に記載の発明によれば、画像を迅速かつ効率的に識別することができる。
【０１３９】
請求項１１に記載の発明によれば、少なくとも１色の色を抜いた第１画像によって色覚障害者に画像を識別させることができながら、第２画像によって、通常のフルカラー画像も見ることができる。
【０１４０】
請求項１２に記載の発明によれば、色相の変換による簡易な処理によって、色相を色平面上で回転させた第１画像によって色覚障害者に画像を識別させることができながら、第２画像によって、通常のフルカラー画像も見ることができる。
【０１４１】
請求項１３に記載の発明によれば、着色剤の変更による簡易な処理によって、本来用いられるべき着色剤を、異なる色の着色剤に変更した第１画像によって色覚障害者に画像を識別させることができながら、第２画像によって、通常のフルカラー画像も見ることができる。
【０１４２】
請求項１４に記載の発明によれば、一部の色によって画像を形成するという簡易な処理によって、カラー画像を構成する一部の色で形成した第１画像によって色覚障害者に画像を識別させることができながら、第２画像によって、通常のフルカラー画像も見ることができる。
【０１４３】
請求項１５に記載の発明によれば、プリンタドライバによって、簡易な処理によって、色覚障害者が識別できる画像を形成することができる。
【０１４４】
請求項１６に記載の発明によれば、画像処理装置によって、簡易な処理によって、色覚障害者が識別できるカラー画像に処理することができる。
【図面の簡単な説明】
【図１】本発明の画像形成装置としてのカラーレーザプリンタの一実施形態を示す要部側断面図である。
【図２】図１に示すカラーレーザプリンタが接続されるコンピュータシステムを示すブロック図である。
【図３】図２に示すコンピュータにおいて、プリンタドライバを起動させるための階層構造を示すブロック図である。
【図４】図２に示すＣＲＴに表示されるプリンタドライバのプロパティウィンドウを示す図である。
【図５】図３に示すプリンタドライバのページ処理を示すフロー図である。
【図６】図５における処理において、分割印刷処理が実行された場合における、（ａ）は、透明シートと普通紙とを重ねた状態を示し、（ｂ）は、透明シートと普通紙とを分離した状態を示す。
【図７】図５における処理において、割付け印刷処理が実行された場合の用紙を示す図である。
【図８】図５における処理において、枚葉印刷処理が実行された場合の用紙を示す図である。
【図９】Ｌａ＊ｂ＊表色系の色相平面図である。
【符号の説明】
１　　　カラーレーザプリンタ
７　　　給紙ローラ
１３　　　　マルチパーパス給紙ローラ
５１　　パーソナルコンピュータ
６４　　プリンタドライバ
６７　　色覚障害対応モードチェックボックス
７３　　透明シート
７４　　　　普通紙
【図１】
2004080118.tif 000003
【図２】
2004080118.tif 000004
【図３】
2004080118.tif 000005
【図４】
2004080118.tif 000006
【図５】
2004080118.tif 000007
【図６】
2004080118.tif 000008
【図７】
2004080118.tif 000009
【図８】
2004080118.tif 000010
【図９】
2004080118.tif 000011